(57)【要約】【課題】１枚のシート状素材から容易に製造可能であると共に、閲覧性および広告宣伝効果を高めた封筒兼用冊子およびその製造方法を提供する。【解決手段】本発明に係る観音開き付封筒兼用冊子の製造方法は、シート状素材３を、第１折り線２１に沿って曲折する第１ステップと、第１ステップで曲折した部分が内側になるように第２折り線２２に沿って曲折して対向する第３折り線２３部分を接着する第２ステップと、フラップ部１８に繋がる部分が外側になるように第３折り線２３に沿って曲折する第３ステップと、第４折り線２４に沿って曲折してフラップ部１８を接着する第４ステップと、曲折された第２折り線２２部分を裁ち落として定形郵便寸法とする第５ステップと、からなる。【選択図】図３
2010274422.tif 000002
【特許請求の範囲】
【請求項１】
一方の側端側に設けられる縦方向の第１折り線と、
上下端の中間に設けられる横方向の第２折り線と、
他方の側端と前記第１折り線の中間に設けられる縦方向の第３折り線と、
前記他方の側端の前記第２折り線より下側部分に突設されるフラップ部と、
前記フラップ部の基端側部分に設けられる縦方向の第４折り線と、を備えるシート状素材を、
前記第１折り線に沿って曲折する第１ステップと、
前記第１ステップで曲折した部分が内側になるように前記第２折り線に沿って曲折して対向する前記第３折り線部分を接着する第２ステップと、
前記フラップ部に繋がる部分が外側になるように前記第３折り線に沿って曲折する第３ステップと、
前記第４折り線に沿って曲折して前記フラップ部を接着する第４ステップと、
曲折された前記第２折り線部分を裁ち落として定形郵便寸法とする第５ステップと、からなることを特徴とする、
観音開き付封筒兼用冊子の製造方法。
【請求項２】
前記第２ステップの前に、前記第３折り線部分に糊を塗布する第６ステップをさらに有することを特徴とする、
請求項１に記載の観音開き付封筒兼用冊子の製造方法。
【請求項３】
前記第４ステップの前に、前記フラップ部に糊を塗布する第７ステップをさらに有することを特徴とする、
請求項１または２に記載の観音開き付封筒兼用冊子の製造方法。
【請求項４】
前記第１ステップの前に、前記フラップ部を備えた形状に前記シート状素材を切り出す第８ステップをさらに有することを特徴とする、
請求項１乃至３のいずれかに記載の観音開き付封筒兼用冊子の製造方法。
【請求項５】
前記第４折り線は、前記他方の側端よりも外側に設定され、
前記第８ステップにおいて、前記第４折り線に沿って開封用ミシン目を形成することを特徴とする、
請求項４に記載の観音開き付封筒兼用冊子の製造方法。
【請求項６】
前記第８ステップにおいて、前記シート状素材の前記第２折り線よりも上側の領域または前記第１折り線と前記一方の側端の間の領域に、切取用ミシン目に囲まれた切離し領域を形成することを特徴とする、
請求項４または５に記載の観音開き付封筒兼用冊子の製造方法。
【請求項７】
請求項１乃至６のいずれかに記載の観音開き付封筒兼用冊子の製造方法によって製造されることを特徴とする、
観音開き付封筒兼用冊子。
【発明の詳細な説明】
【技術分野】
【０００１】
本発明は、封筒として郵送可能な冊子およびその製造方法であり、特に観音開きページを備えるものに関する。
【背景技術】
【０００２】
従来、各種案内状において冊子を郵送する場合、冊子を封筒内に収容した上で郵送する必要があった。このため、ダイレクトメールのように一度に大量に発送する場合には、大量の封筒を冊子とは別に用意する必要があると共に、冊子を封筒内に入れる作業が必要となるため、非常にコストと手間がかかるものとなっていた。
【０００３】
これに対し、冊子をそのまま封筒として郵送することが可能な封筒兼用冊子が提案されている（例えば、特許文献１参照）。このように、冊子を封筒と兼用するようにすれば、冊子を封筒内に入れる作業を省略することができるため、ダイレクトメール等の発送のコストを低減することが可能となる。
【先行技術文献】
【特許文献】
【０００４】
【特許文献１】特開平７−３２９９８２号公報
【発明の概要】
【発明が解決しようとする課題】
【０００５】
しかしながら、上記特許文献１に記載の封筒兼用冊子では、三方に封緘フラップを備える表紙を複数枚の紙葉と共に綴じて製本した上で、封緘フラップを貼り付けて封緘する必要があるため、製造方法が複雑となるという問題があった。結果として、ダイレクトメールとして使用するには、多大なコストと手間を要するものとなっていた。
【０００６】
また、封緘フラップ等に複数の開封用ミシン目を形成し、封緘時にこれらを一致させるようにしているため、各ミシン目の位置が少しでもずれている場合には、非常に開封しにくいものとなるという問題があった。このため、ダイレクトメールを受領した者の開封意欲を阻害してしまう場合があり、冊子状にすることで内容を深め、広告宣伝効果を高めているにもかかわらず、受領者に内容を閲覧してもらえない可能性が高くなっていた。
【０００７】
また、封筒を定形郵便寸法にする場合には、冊子部分全体を二つ折りにした上で封緘するため、開封後の冊子に折りぐせが残ってしまい、非常に閲覧しにくいものとなるという問題があった。このため、受領者に内容を見てもらえず、ダイレクトメールの広告宣伝効果を阻害してしまう場合があった。
【０００８】
本発明は、このような問題点に鑑みてなされたものであって、１枚のシート状素材から容易に製造可能であると共に、閲覧性および広告宣伝効果を高めた封筒兼用冊子およびその製造方法を提供しようとするものである。
【課題を解決するための手段】
【０００９】
（１）本発明は、一方の側端側に設けられる縦方向の第１折り線と、上下端の中間に設けられる横方向の第２折り線と、他方の側端と前記第１折り線の中間に設けられる縦方向の第３折り線と、前記他方の側端の前記第２折り線より下側部分に突設されるフラップ部と、前記フラップ部の基端側部分に設けられる縦方向の第４折り線と、を備えるシート状素材を、前記第１折り線に沿って曲折する第１ステップと、前記第１ステップで曲折した部分が内側になるように前記第２折り線に沿って曲折して対向する前記第３折り線部分を接着する第２ステップと、前記フラップ部に繋がる部分が外側になるように前記第３折り線に沿って曲折する第３ステップと、前記第４折り線に沿って曲折して前記フラップ部を接着する第４ステップと、曲折された前記第２折り線部分を裁ち落として定形郵便寸法とする第５ステップと、からなることを特徴とする、観音開き付封筒兼用冊子の製造方法である。
【００１０】
（２）本発明はまた、前記第２ステップの前に、前記第３折り線部分に糊を塗布する第６ステップをさらに有することを特徴とする、上記（１）に記載の観音開き付封筒兼用冊子の製造方法である。
【００１１】
（３）本発明はまた、前記第４ステップの前に、前記フラップ部に糊を塗布する第７ステップをさらに有することを特徴とする、上記（１）または（２）に記載の観音開き付封筒兼用冊子の製造方法である。
【００１２】
（４）本発明はまた、前記第１ステップの前に、前記フラップ部を備えた形状に前記シート状素材を切り出す第８ステップをさらに有することを特徴とする、上記（１）乃至（３）のいずれかに記載の観音開き付封筒兼用冊子の製造方法である。
【００１３】
（５）本発明はまた、前記第４折り線は、前記他方の側端よりも外側に設定され、前記第８ステップにおいて、前記第４折り線に沿って開封用ミシン目を形成することを特徴とする、上記（４）に記載の観音開き付封筒兼用冊子の製造方法である。
【００１４】
（６）本発明はまた、前記第８ステップにおいて、前記シート状素材の前記第２折り線よりも上側の領域または前記第１折り線と前記一方の側端の間の領域に、切取用ミシン目に囲まれた切離し領域を形成することを特徴とする、上記（４）または（５）に記載の観音開き付封筒兼用冊子の製造方法である。
【００１５】
（７）本発明はまた、上記（１）乃至（６）のいずれかに記載の観音開き付封筒兼用冊子の製造方法によって製造されることを特徴とする、観音開き付封筒兼用冊子である。
【発明の効果】
【００１６】
本発明の封筒兼用冊子およびその製造方法によれば、１枚のシート状素材から容易に製造可能であると共に、閲覧性および広告宣伝効果を高めることが可能という優れた効果を奏し得る。
【図面の簡単な説明】
【００１７】
【図１】（ａ）および（ｂ）本発明の第１の実施形態に係る封筒兼用冊子の概略図である。
【図２】（ａ）および（ｂ）封筒兼用冊子の製造方法を示した概略図である。
【図３】（ａ）〜（ｅ）封筒兼用冊子の製造方法を示した概略図である。
【図４】（ａ）封筒兼用冊子を下端から開封用ミシン目に沿って開封する様子を示した概略図である。（ｂ）表表紙部の角部に開封の基点となる切欠きを設けた例を示した概略図である。
【図５】（ａ）本発明の第２の実施形態に係る封筒兼用冊子の概略図である。（ｂ）封筒兼用冊子を製造するためのシート状素材の概略図である。
【発明を実施するための形態】
【００１８】
以下、本発明の実施の形態を、添付図面を参照して説明する。
【００１９】
まず、本発明の第１の実施形態に係る封筒兼用冊子１について説明する。図１（ａ）および（ｂ）は、封筒兼用冊子１の概略図である。
【００２０】
図１（ａ）に示されるように、封筒兼用冊子１は、背部１０で綴じられた冊子を反対側の小口部１１で封緘した構造となっている。この封筒兼用冊子１の表表紙部１２および裏表紙部１３には、図示は省略するが、例えば差出人の名称および住所や料金後納郵便の表示等の各種情報が予め印刷されている。また、この封筒兼用冊子１は、定形郵便の寸法、具体的には縦１４〜２３．５ｃｍ、横９〜１２ｃｍ、厚み１ｃｍ以下に構成されており、定形郵便の安価な料金で郵送できるようになっている。
【００２１】
また、封緘された小口部１１（折り目部分）には開封用ミシン目が形成されており、この開封用ミシン目に沿って小口部１１を破断することにより、封筒兼用冊子１を開封し、内容を閲覧するようになっている。なお、封筒兼用冊子１の上端および下端は開放されているため、容易に開封できるようになっている。
【００２２】
図１（ｂ）は、封筒兼用冊子１を開封した状態を示している。同図に示されるように、封筒兼用冊子１は、表表紙部１２と裏表紙部１３の間に、第１ページ部１４および第２ページ部１５を備えている。また、第２ページ部１５には第１観音開き部１６が接続され、裏表紙部１３には第２観音開き部１７が接続されている。これらの第１観音開き部１６および第２観音開き部１７は、予め折り畳まれた状態で第２ページ部１５と裏表紙部１３の間に収容されており、封筒兼用冊子１を開封した後に観音開き状に開くことが可能となっている。
【００２３】
本実施形態では、このように第１観音開き部１６および第２観音開き部１７を備えることによって、封筒兼用冊子１全体を定形郵便寸法に抑えながらも、ページ面積を大きくすることを可能としている。これにより、封筒兼用冊子１に含める情報量を増やすと共に閲覧性を高めることができるだけでなく、より大きな写真を掲載する等インパクトのある構成とすることができるため、ダイレクトメール等に使用した場合の広告宣伝効果を高めることが可能となっている。
【００２４】
次に、封筒兼用冊子１の製造方法について説明する。図２（ａ）および（ｂ）、ならびに図３（ａ）〜（ｅ）は、封筒兼用冊子１の製造方法を示した概略図である。
【００２５】
封筒兼用冊子１の製造では、まず、図２（ａ）に示されるように、所定の用紙からなる大判シート状素材２の表裏面に複数冊分の内容（図示省略）を、オフセット印刷機等によりまとめて印刷する。そして、同図（ｂ）に示されるように、１冊分のシート状素材３を、断裁機等により断裁し、切り出す。
【００２６】
１冊分のシート状素材３は、表表紙部１２および裏表紙部１３を左右に配置し、表表紙部１２の上部に第１ページ部１４を配置し、裏表紙部１３の上部に第２ページ部１５を配置し、第２ページ部１５の右側に第１観音開き部１６を配置し、裏表紙部１３の右側に第２観音開き部１７を配置し、第１表紙部１２の左側に封緘用のフラップ部１８を配置した形状となっている。
【００２７】
このうち、表表紙部１２は、定形郵便の寸法と略同一の寸法で構成されている。そして、裏表紙部１３、第１ページ部１４および第２ページ部１５は、高さが表表紙部１２と略同一であり、横幅は表表紙部１２よりも若干狭く構成されている。また、第１観音開き部１６および第２観音開き部１７は、高さは表表紙部１２と略同一であるが、第２ページ部１５および裏表紙部１３にそれぞれ折り重ねられることから、横幅はこれらの横幅よりも狭く構成されている。フラップ部１８は、裏表紙部１３に貼り付けて封筒兼用冊子１を封緘するための部分であるため、高さは表表紙部１２と略同一であるが、横幅は必要な糊代を確保できる幅に構成されている。
【００２８】
また、シート状素材３には、冊子状に製本するための折り線が設定されている。本実施形態では、右方の側端３ａ側に設けられる縦方向の第１折り線２１と、シート状素材３の上端３ｂと下端３ｃの中間に設けられる横方向の第２折り線２２と、左方の側端３ｄと第１折り線２１の中間に設けられる縦方向の第３折り線２３と、フラップ部１８の基端側部分に設けられる縦方向の第４折り線２４を設定する。
【００２９】
なお、これらの折り線２１〜２４は、そのまま各部１２〜１８の境界線となっている。具体的には、第１折り線２１は、裏表紙部１３および第２ページ部１５と、第２観音開き部１７および第１観音開き部１６との境界線であり、第２折り線２２は、表表紙部１２、裏表紙部１３および第２観音開き部１７と、第１ページ部１４、第２ページ部１５および第１観音開き部との境界線である。そして、第３折り線２３は、表表紙部１２および第１ページ部１４と裏表紙部１３および第２ページ部１５との境界線であり、第４折り線２４は、表表紙部１２とフラップ部１８との境界線である。
【００３０】
上述のように、第１ページ部１４の横幅は表表紙部１２の横幅よりも若干狭いものとなっているため、第４折り線２４は、左方の側端３ｄよりも若干左側に位置している。また、第４折り線２４は小口部１１に対応する部分であるため、開封用ミシン目３０が第４折り線２４に沿って形成されている。本実施形態では、専用の抜き型を使用して、大判シート状素材２からのシート状素材３の断裁と開封用ミシン目３０の形成を同時に行うようにしているが、シート状素材３の断裁と開封用ミシン目３０の形成を別に行うようにしてもよい。
【００３１】
なお、シート状素材３の方向は特に限定されるものではなく、本実施形態で示すシート状素材３の上下左右または表裏を入れ替えるようにしてもよい。また、シート状素材３の材質は特に限定されるものではなく、用紙以外にも、例えば各種樹脂や金属等の薄板や、樹脂フィルムや金属箔等を積層した積層フィルム等からシート状素材を構成するようにしてもよい。
【００３２】
封筒兼用冊子１の製造では、次に、切り出した１冊分のシート状素材３を、製本機等により各折り線２１〜２４に沿って順に曲折していく。この工程では、まず、図３（ａ）に示されるように、シート状素材３を第１折り線２１に沿って曲折し、第１観音開き部１６および第２観音開き部１７を第２ページ部１５および裏表紙部１３に折り重ねる。
【００３３】
次に、糊塗布装置等により第３折り線２３部分に糊を塗布する。この糊の塗布は、第３折り線２３の全長にわたって塗布するようにしてもよいし、表表紙部１２と裏表紙部１３の境界、または第１ページ部１４と第２ページ部１５の境界のいずれか一方の部分のみに塗布するようにしてもよい。
【００３４】
次に、同図（ｂ）に示されるように、折り重ねた第１観音開き部１６および第２観音開き部１７が内側になるように、シート状素材３を第２折り線２２に沿って曲折し、対向する第３折り線２３部分同士を接着する。これにより、表表紙部１２、裏表紙部１３、第１ページ部１４および第２ページ部１５は、第３折り線２３部分を背部１０として綴じられた状態となる。また、第１観音開き部１６および第２観音開き部１７は、観音開きページとして第２ページ部１５および裏表紙部１３の間に収容される。
【００３５】
次に、同図（ｃ）に示されるように、折り重ねた第１ページ部１４および第２ページ部１５が内側になるように、換言すれば、表表紙部１２および裏表紙部１３が外側になるように、シート状素材３を第３折り線２３に沿って曲折する。上述のように、表表紙部１２は、裏表紙部１３、第１ページ部１４および第２ページ部１５よりも若干横幅が広いため、第１折り線２１は、第１ページ部１４の左方の端部３ｄと共に、第４折り線２４よりも若干右側に位置することとなる。
【００３６】
次に、糊塗布装置等によりフラップ部１８の表面に糊を塗布する。ここでは、第４折り線２４に沿って曲折した場合に、裏表紙部１３と対向する面にのみ糊を塗布する。なお、フラップ部１８表面への糊の塗布を、第３折り線２３部分への糊の塗布と同時に行うようにしてもよい。
【００３７】
次に、シート状素材３を第４折り線２４に沿って曲折し、フラップ部１８を裏表紙部１３に接着する。これにより、封筒兼用冊子１が封緘されることとなる。最後に、上端に位置する第２折り線２２部分を断裁機等により裁ち落として、定形郵便寸法に成形することで、封筒兼用冊子１が完成する。なお、さらに下端部分を裁ち落として形を整えるようにしてもよい。
【００３８】
図４（ａ）は、封筒兼用冊子１を下端から開封用ミシン目３０に沿って開封する様子を示した概略図である。本実施形態では、裏表紙部１３、第１ページ部１４および第２ページ部１５を表表紙部１２よりも横幅を狭く構成することにより、第４の折り線２４に沿って形成した開封用ミシン目３０とこれらの各部１３〜１５の端部との間に隙間を設けるようにしている。これにより、第４の折り線２４に沿って開封用ミシン目３０を１本だけ形成しながらも、容易な開封を可能としている。
【００３９】
なお、この隙間の幅は特に限定されるものではなく、シート状素材３の材質や厚み等に応じて適宜に決定すればよい。また、同図（ｂ）に示すように、表表紙部１２の角部に開封の基点となる切欠き３１を設けるようにしてもよい。この場合、さらに開封性を向上させることができる。
【００４０】
このように、本実施形態の製造方法によれば、１枚のシート状素材３から容易に観音開き付の封筒兼用冊子１を製造することができる。また、綴じ糸や針金等を使用するのではなく、糊付けによって各部１２〜１８を綴じるため、高価な中綴じ機等を必要とせず、低コストで高速に大量の観音開き付の封筒兼用冊子１を製造することができる。
【００４１】
このため、例えば大量のダイレクトメールを発送するような場合であっても、少ないコストと手間で観音開き付の封筒兼用冊子１を大量に準備することが可能となり、観音開きページを利用した広告宣伝等の効果を最大限に活用することができる。
【００４２】
次に、本発明の第２の実施形態について説明する。図５（ａ）は、本実施形態の封筒兼用冊子４の概略図である。
【００４３】
本実施形態の封筒兼用冊子４は、同図に示されるように、第２観音開き部１７に切取用ミシン目３２に囲まれた切離し領域３３を備えており、その他の構成は第１の実施形態の封筒兼用冊子１と同一である。この切離し領域３３には適宜の印刷が施されており、切離した後に例えば引換券や割引券等のクーポン券として使用することができるようになっている。すなわち、封筒兼用冊子４は、各種クーポン券を一体的に内蔵することが可能に構成されている。
【００４４】
図５（ｂ）は、封筒兼用冊子４を製造するためのシート状素材５の概略図である。本実施形態では、専用の抜き型を使用することにより、切離し領域３３を構成する切取用ミシン目３２の形成を、大判シート状素材２からのシート状素材５の断裁および開封用ミシン目３０の形成と同時に行うようにしている。封筒兼用冊子４のその他の製造方法は、第１の実施形態の封筒兼用冊子１と同一である。このようにすることで、各種クーポン券を内蔵した観音開き付の封筒兼用冊子４を、少ないコストと手間で大量に準備することが可能となる。
【００４５】
また、クーポン券を構成する切離し領域３３は、封筒兼用冊子４と一体的に構成されると共に封筒兼用冊子４内部に封緘されて収容された状態となるため、郵送中の脱落や紛失の恐れが無く、安全に各種クーポン券を宛先に送付することができる。なお、切離し領域３３を、第１ページ部１４、第２ページ部１５または第１観音開き部１６に設けるようにしてもよい。
【００４６】
以上、本発明の実施の形態について説明したが、本発明の封筒兼用冊子およびその製造方法は、上記した実施の形態に限定されるものではなく、本発明の要旨を逸脱しない範囲内において種々変更を加え得ることは勿論である。
【産業上の利用可能性】
【００４７】
本発明の封筒兼用冊子およびその製造方法は、広告宣伝用のダイレクトメールを始め、各種案内状やパンフレット、カタログ等の分野で利用することができる。
【符号の説明】
【００４８】
１、４  封筒兼用冊子
２  大判シート状素材
３、５  １冊分のシート状素材
３ａ  シート状素材の右方の側端
３ｂ  シート状素材の上端
３ｃ  シート状素材の下端
３ｄ  シート状素材の左方の側端
１８  フラップ部
２１  第１折り線
２２  第２折り線
２３  第３折り線
２４  第４折り線
３０  開封用ミシン目
３２  切取用ミシン目
３３  切離し領域
【図１】
2010274422.tif 000003
【図２】
2010274422.tif 000004
【図３】
2010274422.tif 000005
【図４】
2010274422.tif 000006
【図５】
2010274422.tif 000007